【手続補正書】
【提出日】平成24年12月10日(2012.12.10)
【手続補正１】
【補正対象書類名】特許請求の範囲
【補正対象項目名】全文
【補正方法】変更
【補正の内容】
【特許請求の範囲】
【請求項１】
ＲＦＩＤ／ＮＦＣアンテナ回路であって、
少なくとも３つの巻回（Ｓ）いくつかによって形成される磁気アンテナ（Ｌ）であって、前記アンテナが第１の終端（Ｄ）及び第２の終端（Ｅ）を有するアンテナと、
電荷を接続するための少なくとも２つのアクセス端子（１，２）と、
第１のキャパシタンス端子（Ｃ１Ｘ）及び第２のキャパシタンス端子（Ｃ１Ｅ）を有する、所定の同調周波数に同調させるための少なくとも１つの同調キャパシタンス（Ｃ１，ＺＺ）と、
終端と別個であり、前記アンテナ（Ｌ）に接続された中間タップ（Ａ）と、
前記２つのアクセス端子のうちの第１のアクセス端子（１）に前記中間タップ（Ａ）を接続する第１の接続手段（ＣＯＮ１Ａ）と、
前記第２の終端（Ｅ）を前記第２のキャパシタンス端子（Ｃ１Ｅ）に接続する第２の接続手段（ＣＯＮ２Ｅ）と、
を備え、前記ＲＦＩＤアンテナ回路は、
前記第１のキャパシタンス端子（Ｃ１Ｘ）、及びアクセス端子のうちの第２のアクセス端子（２）を前記アンテナ（Ｌ）の第１の点（Ｐ１）、及び前記アンテナ（Ｌ）の前記第１の点に接続された、前記アンテナ（Ｌ）の第２の点（Ｐ２）に接続する第３の接続手段（ＣＯＮ３１，ＣＯＮ３２）
を更に備え、
第２の点（Ｐ２）は前記アンテナ（Ｌ）の前記少なくとも１つの巻回（Ｓ）により、前記アンテナ（Ｌ）の前記第２の終端（Ｅ）に接続され、前記アンテナ（Ｌ）の少なくとも１つの巻回（Ｓ）により、前記アンテナ（Ｌ）の前記第１の終端（Ｄ）に接続される回路。
【請求項２】
請求項１記載の回路であって、前記キャパシタンスは、前記第１のキャパシタンス端子（ＣＩＸ）を形成する第１の金属表面と、前記第２のキャパシタンス端子（ＣＩＥ）を形成する第２の金属表面と、前記第１の金属表面と前記第２の金属表面との間に配置されている少なくとも１つの誘電体層とを含む回路。
【請求項３】
請求項１又は２に記載の回路であって、前記キャパシタンスは、第１の側部、及び前記第１の側部と離れた第２の側部を有する少なくとも１つの誘電体層と、
前記誘電体層の前記第１の側部に前記第１のキャパシタンス端子（ＣＩＸ）を形成する第１の金属表面と、
前記誘電体層の前記第２の側部に前記第２のキャパシタンス端子（ＣＩＥ）を形成する第２の金属表面と、
前記誘電体層の前記第１の側部に、前記第１の金属表面と離れて配置されている第３のキャパシタンス端子（ＣＩＦ）を形成する第３の金属表面と
を備え、
前記第１のキャパシタンス端子（ＣＩＸ）は、前記第２のキャパシタンス端子（ＣＩＥ）との間で第１のキャパシタンス値（Ｃ２）を規定し、
前記第３のキャパシタンス端子（ＣＩＦ）は、前記第２のキャパシタンス端子（ＣＩＥ）との間で第２のキャパシタンス値（Ｃ１）を規定し、
前記第１のキャパシタンス端子（ＣＩＸ）は、前記第３のキャパシタンス端子（ＣＩＦ）との間で第３の結合キャパシタンス値（Ｃ１２）を規定し、前記キャパシタンスは、
前記アクセス端子（１，２）のうちの１つのアクセス端子に前記第３のキャパシタンス端子（ＣＩＦ）を接続する接続手段を更に備える回路。
【請求項４】
請求項１乃至３の何れか一項に記載の回路であって、前記アンテナ（Ｌ）は、連続する少なくとも１つの第１の巻回（Ｓ１）、少なくとも１つの第２の巻回、及び少なくとも１つの第３の巻回を備え、前記第１の巻回（Ｓ１）は、前記第２の巻回に接続された反転点（ＰＲ）に、第１の巻回方向に前記第２の終端（Ｅ）から延在し、前記第２の巻回及び前記第３の巻回（Ｓ２、Ｓ３）は、前記第１の終端（Ｄ）に、前記第１の巻回方向の逆である第２の巻回方向に、前記反転点（ＰＲ）から延在し、
前記アンテナ（Ｌ）の前記第１の点（Ｐ）及び前記アンテナ（Ｌ）の前記第２の点（Ｐ２）は、前記第２の巻回及び前記第３の巻回（Ｓ２、Ｓ３）に配置されている回路。
【請求項５】
請求項１乃至４の何れか一項に記載の回路であって、前記アンテナ（Ｌ）は、前記アンテナの２つの第３の点及び第４の点（Ｅ、Ｄ）間で連続する少なくとも１つの第１の巻回（Ｓ１）及び少なくとも１つの第２の巻回（Ｓ２、Ｓ３）を備え、前記第１の巻回（Ｓ１）は第１の巻回方向に、前記第３の点（Ｅ）から前記反転点（ＰＲ）に延在し、前記第２の巻回（Ｓ２、Ｓ３）は前記第１の巻回方向の逆である第２の巻回方向に前記反転点（ＰＲ）から前記第４の点（Ｄ）に延在する回路。
【請求項６】
請求項１記載の回路であって、前記アンテナ（Ｌ）は、前記アンテナの２つの第３の点及び第４の点（Ｅ、Ｄ）間で連続する少なくとも１つの第１の巻回（Ｓ１）及び少なくとも１つの第２の巻回（Ｓ２、Ｓ３）を備え、前記第１の巻回（Ｓ１）は、反転点（ＰＲ）により、前記第２の巻回（Ｓ２、Ｓ３）に接続され、前記第１の巻回（Ｓ１）は、第１の巻回方向に、前記第３の点（Ｅ）から前記反転点（ＰＲ）に延在し、前記第２の巻回（Ｓ２、Ｓ３）は前記第１の巻回方向の逆である第２の巻回方向に前記反転点（ＰＲ）から前記第４の点（Ｄ）に延在し、
前記第１の点（Ｐ１）は前記アンテナ（Ｌ）の前記中間タップ（Ａ）に配置され、前記第２の点（Ｐ２）は前記アンテナ（Ｌ）の前記第１の終端（Ｄ）に配置される回路。
【請求項７】
請求項１記載の回路であって、前記アンテナ（Ｌ）は、前記アンテナの２つの第３の点及び第４の点（Ｅ、Ｄ）間で連続する少なくとも１つの第１の巻回（Ｓ１）及び少なくとも１つの第２の巻回（Ｓ２、Ｓ３）を備え、前記第１の巻回（Ｓ１）は、反転点（ＰＲ）により、前記第２の巻回（Ｓ２、Ｓ３）に接続され、前記第１の巻回（Ｓ１）は、第１の巻回方向に、前記第３の点（Ｅ）から前記反転点（ＰＲ）に延在し、前記第２の巻回（Ｓ２、Ｓ３）は前記第１の巻回方向の逆である第２の巻回方向に前記反転点（ＰＲ）から前記第４の点（Ｄ）に延在し、
−      第１の点（Ｐ１）は前記第１の終端（Ｄ）に配置される回路。
【請求項８】
請求項１乃至７の何れか一項に記載の回路であって、前記アンテナの少なくとも１つの巻回（Ｓ２）は、前記巻回（Ｓ２）の残り（Ｓ２”）によって取り囲まれる表面に対し、又は、前記アンテナ（３）の他の巻回によって取り囲まれる表面に対し、取り囲まれたより小さな表面の巻回の巻線（Ｓ２’）を直列に有する回路。
【請求項９】
請求項１乃至８の何れか一項に記載の回路であって、前記同調キャパシタンス（Ｃ１）は、２つの第１の端部及び第２の端部（ＳＣ３１、ＳＣ３２）を備える少なくとも１つの第３の巻回（ＳＣ３）により、かつ、２つの第１の端部及び第２の端部（ＳＣ４１、ＳＣ４２）を備える少なくとも１つの第４の巻回（ＳＣ４）によって形成される第２のキャパシタンス（ＺＺ）を備え、前記第３の巻回（ＳＣ３）は、前記第３の巻回（ＳＣ３）の前記第１の端部（ＳＣ３１）と前記第４の巻回（ＳＣ４）の前記第２の端部（ＳＣ４２）との間の少なくとも前記同調キャパシタンス（Ｃ１）を規定するよう前記第４の巻回（ＳＣ４）と電気的に分離され、
前記第３の巻回の前記第１の端部（ＳＣ３）は、前記第４の巻回（ＳＣ４）の前記第１の端部（ＳＣ４１）からよりも、前記第４の巻回（ＳＣ４）の前記第２の端部（ＳＣ４２）から更に遠く、前記第３の巻回（ＳＣ３）の前記第２の端部（ＳＣ３２）は、前記第４の巻回（ＳＣ４）の前記第２の端部（ＳＣ４２）からよりも前記第４の巻回（ＳＣ４）の前記第１の端部（ＳＣ４１）から更に遠く、前記第２のキャパシタンスは、前記第３の巻回（ＳＣ３）の前記第１の端部（ＳＣ３１）と前記第４の巻回（ＳＣ４）の前記第２の端部（ＳＣ４２）との間で規定される回路。
【請求項１０】
請求項１乃至９の何れか一項に記載の回路であって、前記中間タップ（Ａ）と前記第２のキャパシタンスとの間に前記アンテナの少なくとも１つの巻回（Ｓ１）が存在している回路。
【請求項１１】
請求項９又は１０に記載の回路であって、第１の結合手段は、第１に、前記第１のアクセス端子及び前記第２のアクセス端子（１，２）と並列に電気接続された前記アンテナの前記少なくとも一巻回（Ｓ２）と、第２に、前記アンテナのその他の少なくとも一巻回（Ｓ１）との間の相互インダクタンスによる結合（ＣＯＵＰＬ１２）を確実にするよう提供され、第２の結合手段は、前記アンテナの前記他の少なくとも一巻回（Ｓ１）と、前記第２のキャパシタンス（ＺＺ）の前記少なくとも１つの第３及び第４の巻回（ＳＣ３，ＳＣ４）との間の相互インダクタンスによる結合（ＣＯＵＰＬＺＺ）を確実にするよう提供される回路。
【請求項１２】
請求項１乃至１１の何れか一項に記載の回路であって、前記第１の結合手段は、第１に、前記第１のアクセス端子及び前記第２のアクセス端子（１，２）と並列に電気接続された前記アンテナの前記少なくとも一巻回（Ｓ２）と、第２に、前記アンテナのその他の少なくとも一巻回（Ｓ１）との間の至近性によって形成され、前記第２の結合手段は、前記アンテナの前記その他の少なくとも一巻回（Ｓ１）と、前記第２のキャパシタンス（ＺＺ）の前記少なくとも１つの第３及び第４の巻回（ＳＣ３，ＳＣ４）との間の至近性によって形成される回路。
【請求項１３】
請求項９乃至１２の何れか一項に記載の回路であって、前記第３の巻回（Ｓ３）及び前記第４の巻回（ＳＣ４）がインターリーブされる回路。
【請求項１４】
請求項９乃至１３の何れか一項に記載の回路であって、前記第３の巻回（ＳＣ３）は少なくとも１つの第３の区間を備え、前記第４の巻回（ＳＣ４）は第４の区間を備え、前記第３の区間は前記第４の区間に隣接して位置している回路。
【請求項１５】
請求項１４記載の回路であって、区間は互いに並列に延在する回路。
【請求項１６】
請求項９乃至１５の何れか一項に記載の回路であって、前記少なくとも１つの第３の巻回（ＳＣ３）及び前記少なくとも１つの第４の巻回（ＳＣ４）は第２の固有共振周波数を有する第２のサブ回路を規定し、前記第１のアクセス端子及び前記第２のアクセス端子（１，２）は、それらに接続されたモジュール（Ｍ）、並びに前記第１のアクセス端子及び前記第２のアクセス端子（１，２）に接続された少なくとも１つの巻回（Ｓ２）とともに、第１の固有共振周波数を有する第１のサブ回路を規定し、前記第１の固有共振周波数と前記第２の固有共振周波数との間の周波数差が１０ＭＨｚ以下であるように巻回が構成される回路。
【請求項１７】
請求項９乃至１５の何れか一項に記載の回路であって、前記少なくとも１つの第３の巻回（ＳＣ３）及び前記少なくとも１つの第４の巻回（ＳＣ４）は第２の固有共振周波数を有する第２のサブ回路を規定し、前記第１のアクセス端子及び前記第２のアクセス端子（１，２）は、それらに接続されたモジュール（Ｍ）、並びに前記第１のアクセス端子及び前記第２のアクセス端子（１，２）に接続された少なくとも１つの巻回（Ｓ２）とともに、第１の固有共振周波数を有する第１のサブ回路を規定し、前記第１の固有共振周波数と前記第２の固有共振周波数との間の周波数差が５００ＭＨｚ以下であるように巻回が構成される回路。
【請求項１８】
請求項９乃至１７の何れか一項に記載の回路であって、前記少なくとも１つの第３の巻回（ＳＣ３）及び前記少なくとも１つの第４の巻回（ＳＣ４）は第２の固有共振周波数を有する第２のサブ回路を規定し、前記第１のアクセス端子及び前記第２のアクセス端子（１，２）は、それらに接続されたモジュール（Ｍ）、及び前記第１のアクセス端子及び前記第２のアクセス端子（１，２）に接続された少なくとも１つの巻回（ＳＣ２）とともに、第１の固有共振周波数を有する第１のサブ回路を規定し、前記第１の固有共振周波数及び前記第２の固有共振周波数がほぼ等しいように巻回が構成される回路。
【請求項１９】
請求項１乃至１８の何れか一項に記載の回路であって、前記アンテナは、前記第１の終端（Ｄ）から前記中間点（ＰＭ）に延在する区画上の巻回数と、前記中間点（ＰＭ）から前記第２の終端（Ｅ）に延在する区画上の巻回数が等しい、基準電位に電位を設定するための中間点（ＰＭ）を含む回路。
【請求項２０】
請求項１乃至１９の何れか一項に記載の回路であって、前記端子（Ｄ，Ｅ，１，２，Ｃ１Ｅ，Ｃ１Ｘ）、前記タップ（Ａ）、前記点（Ｐ１，Ｐ２）、及び前記キャパシタンス（Ｃ１，ＺＺ）は、複数の少なくとも３つのノードを規定し、前記ノードは、互いに別個の２つの第１のノード（１，Ｃ１Ｅ）間の少なくとも１つの巻回の少なくとも１つの第１の群（Ｓ１）と、互いに別個の２つの第２のノード（１，２）間の少なくとも１つの別の巻回（Ｓ２）の少なくとも１つの第２の群とを規定し、少なくとも１つの巻回の前記第１の群（Ｓ１）が少なくとも１つの別の巻回の第２の群に配置されることにより、少なくとも１つの巻回の前記第１の群（Ｓ１）と少なくとも１つの別の巻回（Ｓ２）の前記第２の群との間の相互インダクタンスにより、結合（ＣＯＵＰＬ１２）を確実にするために第１の結合手段が備えられる回路。
【請求項２１】
請求項１乃至２０の何れか一項に記載の回路であって、前記端子（Ｄ，Ｅ，１，２，Ｃ１Ｅ，Ｃ１Ｘ）、前記タップ（Ａ）、前記点（Ｐ１，Ｐ２）、及び前記キャパシタンス（Ｃ１，ＺＺ）は、複数の少なくとも３つのノードを規定し、前記ノードは、互いに別個の２つの第１のノード（１，Ｃ１Ｅ）間の少なくとも１つの巻回の少なくとも１つの第１の群（Ｓ１）、互いに別個の２つの第２のノード（１，２）間の少なくとも１つの別の巻回（Ｓ２）の少なくとも１つの第２の群、及び互いに別個の２つの第３のノード（Ｅ，Ｃ１Ｘ）間の少なくとも１つの別の巻回（ＳＣ３，ＳＣ４）の少なくとも１つの第３の群を規定し、前記第１のノードの少なくとも１つは前記第２のノードの少なくとも１つと異なり、第１のノードの少なくとも１つは前記第３のノードの少なくとも１つと異なり、前記第３のノードの少なくとも１つは前記第２のノードの少なくとも１つと異なり、
少なくとも１つの巻回の第１の群（Ｓ１）が少なくとも１つの別の巻回（Ｓ２）の第２の群の近傍に配置されていることにより、第１に、少なくとも１つの巻回の前記第１の群（Ｓ１）と、第２に、少なくとも１つの別の巻回（Ｓ２）の第２の群との間の相互インダクタンスによる結合（ＣＯＵＰＬ１２）を確実にするために第１の結合手段が提供され、
少なくとも１つの巻回の第１の群（Ｓ１）が少なくとも１つの別の巻回（ＳＣ３，ＳＣ４）の第３の群の近傍に配置されていることにより、第１に、少なくとも１つの巻回の第１の群（Ｓ１）と、第２に、少なくとも１つの別の巻回（ＳＣ３，ＳＣ４）の第３の群との間の相互インダクタンスによる結合（ＣＯＵＰＬ１２）を確実にするために第２の結合手段が提供される回路。
【請求項２２】
請求項１乃至２１の何れか一項に記載の回路であって、少なくとも１つの巻回の第１の群（Ｓ１）は、少なくとも１つの別の巻回（ＳＣ３、ＳＣ４）の第３の群と少なくとも１つの別の巻回（Ｓ２）の第２の群との間に配置される回路。
【請求項２３】
請求項２０乃至２２の何れか一項に記載の回路であって、別々の群に属する巻回（Ｓ１，Ｓ２，ＳＣ３，ＳＣ４）を隔てる距離は、２０ミリメートル以下である回路。
【請求項２４】
請求項２０乃至２２の何れか一項に記載の回路であって、別々の群に属する巻回（Ｓ１，Ｓ２，ＳＣ３，ＳＣ４）を隔てる距離は、１０ミリメートル以下である回路。
【請求項２５】
請求項２０乃至２２の何れか一項に記載の回路であって、別々の群に属する巻回（Ｓ１，Ｓ２，ＳＣ３，ＳＣ４）を隔てる距離は１ミリメートル以下である回路。
【請求項２６】
請求項２０乃至２５の何れか一項に記載の回路であって、別々の群に属する巻回（Ｓ１，Ｓ２，ＳＣ３，ＳＣ４）を隔てる距離は８０マイクロメートル以下である回路。
【請求項２７】
請求項１乃至２６の何れか一項に記載の回路であって、少なくとも、電荷としてのリーダ（ＬＥＣＴ）及び／又は少なくとも、電荷としてのトランスポンダ（ＴＲＡＮＳ）がアクセス端子（１，２）に接続される回路。
【請求項２８】
請求項１乃至２７の何れか一項に記載の回路であって、前記回路は、互いに別個のいくつかの第１のアクセス端子（１）及び／又は互いに別個のいくつかの第２のアクセス端子を含む回路。
【請求項２９】
請求項１乃至２８の何れか一項に記載の回路であって、前記少なくとも１つの第１のアクセス端子（１）及び前記少なくとも１つの第２のアクセス端子（２）は、高周波数帯において第１の所定の同調周波数を有する少なくとも１つの第１の電荷（Ｚ１）及び別の超高周波数帯において第２の所定の同調周波数を有する少なくとも１つの第２の電荷（Ｚ２）に接続される回路。